(57)【特許請求の範囲】
【請求項１】
入力されたデータを主装置に対して直接的または間接的に送信し得る通信手段と、所定動作を行わせるために設けられた２次電池でなる電源手段とを有する電池駆動型端末機の充電状態管理装置において、
前記電池駆動型端末機の有する前記２次電池の充電状態を検出する充電状態検出手段と、前記充電状態検出手段で得られた充電レベルを含む充電状態データを前記通信手段を介して前記主装置に送信する送信制御手段とを前記電池駆動型端末機に設けると共に、前記主装置で受けられた前記充電状態データに基づく報知を行う報知手段を有する充電管理手段を具備することを特徴とする電池駆動型端末機の充電状態管理装置。
【請求項２】
前記充電状態検出手段は、前記２次電池の出力電圧値を検出するように構成することを特徴とする請求項１に記載の電池駆動型端末機の充電状態管理装置。
【請求項３】
前記充電状態検出手段は、前記２次電池における充電開始と充電終了の時間データを検出するように構成することを特徴とする請求項１に記載の電池駆動型端末機の充電状態管理装置。
【請求項４】
前記充電状態検出手段は、前記２次電池の劣化情報を検出するように構成することを特徴とする請求項１に記載の電池駆動型端末機の充電状態管理装置。
【請求項５】
前記報知手段は、前記電池駆動型端末機から送信された充電状態データを表示するように構成することを特徴とする請求項１に記載の電池駆動型端末機の充電状態管理装置。
【請求項６】
前記報知手段は、複数個設けられた前記電池駆動型端末機のそれぞれの充電状態データを表示するように構成することを特徴とする請求項１に記載の電池駆動型端末機の充電状態管理装置。
【請求項７】
前記電池駆動型端末機は、ＰＯＳ主装置に対して所定のＰＯＳデータを通信する端末機として構成することを特徴とする請求項１ないし請求項６のいずれかに記載の電池駆動型端末機の充電状態管理装置。
【請求項８】
前記電池駆動型端末機は、デビット決済等の金融決済用主装置に対して所定の金融決済データを通信する端末機として構成することを特徴とする請求項１ないし請求項６のいずれかに記載の電池駆動型端末機の充電状態管理装置。
【請求項９】
前記通信手段は、公衆通信網を含んで構成することを特徴とする請求項１ないし請求項８のいずれかに記載の電池駆動型端末機の充電状態管理装置。
【発明の詳細な説明】
【０００１】
【発明の属する技術分野】
本発明は、電池駆動型端末機の充電状態管理装置に関し、特に、入力されたデータを主装置に対して直接的または間接的に送信し得る通信手段と、所定動作を行わせるために設けられた２次電池でなる電源手段とを有する電池駆動型端末機の充電状態管理装置に関する。
【０００２】
【従来の技術】
このような電池駆動型端末機は、ＰＯＳ主装置に対して所定のＰＯＳデータを通信する端末機として用いられたり、デビット決済等の金融決済用主装置に対して所定の金融決済データを通信する端末機として用いられる。
【０００３】
そして、ＰＯＳ主装置に用いられる電池駆動型ＰＯＳ端末機は、ファミリーレストラン等の飲食店において広く用いられていて、この電池駆動型ＰＯＳ端末機を店員が携帯し、客テーブルで注文を受けたときに、その場で注文内容をタッチパネルやキーボードで入力し、電波や赤外光を用いた無線送信を無線制御部に対して行い、この無線制御部に接続されたＰＯＳ主装置に注文データを入力している。注文データを受けたＰＯＳ主装置は、会計伝票の作成や厨房への調理指令を行い、注文取りから客会計の精算までの一連の処理を能率的に行わせることができる。
【０００４】
このような電池駆動型ＰＯＳ端末機においては、内蔵された２次電池により該端末機の全体動作が適正に行われる。この２次電池の放電を極力少なくして稼働時間を長くするため、換言すれば２次電池の充電を行うまでの時間を長くするために、店員が注文内容を入力してＰＯＳ主装置側に送信した直後に自動的に節電回路が働き、時計回路等の電源断にはできない回路を除いた回路部が電源供給が断たれるように制御される。
【０００５】
また、電池駆動型ＰＯＳ端末機は、内蔵された２次電池の充電状態を検出して表示する機能を有しており、電力が不足してくると表示によって警告が発せられるのであるが、この警告は電池駆動型ＰＯＳ端末機の電源がオンになっているときに行われ、オフの場合には行われないように構成されている。そして、このような警告が発せられたことを店員が気が付いたときに、電池駆動型ＰＯＳ端末機を充電器にセットして充電を行うようにしている。この充電器は、電池駆動型ＰＯＳ端末機の数台に１つの割合でしか準備されていない。
【０００６】
２次電池に対して充電器を用いて行われる充電が完了すると、充電器に設けられたＬＥＤ等にその旨が表示されるので電池駆動型ＰＯＳ端末機を充電器から取り外し、フル充電された２次電池で電池駆動型ＰＯＳ端末機を使用することができる。
【０００７】
このような充電を行っているときには当該電池駆動型ＰＯＳ端末機は、当然のことながら使用不可であるので、他の電池駆動型ＰＯＳ端末機を用いて注文取り等の業務を継続することになる。
【０００８】
一方、デビット決済等の金融決済用主装置に対して所定の金融決済データを通信する端末機として用いられる電池駆動型金融決済端末機は、外交の営業員が携帯して集金業務にあたり、顧客がデビットによる決済を行うと、その決済情報が無線システムにより、一旦情報処理センターに送られ、情報処理センターから再び金融機関網に送られ、複数の金融機関同士での取引が行われ極めて効率的な金融決済を行うことができる。
【０００９】
【発明が解決しようとする課題】
一般に電池駆動型端末機を用いて、業務を遂行する際には、より多くの充電がなされていて望ましくはフル充電されている電池駆動型端末機を使用したいものの、充電状態は電池駆動型端末機の電源をオンしなければ解らず、端末使用場所で多くの電池駆動型端末機を用いている場合には、どの電池駆動型端末機を使用したらよいかの判断に手間が掛ってしまう。
【００１０】
また、使用状態によっては、複数の電池駆動型端末機のそれぞれが均等に電力を消費している場合も考えられ、この場合にはいずれの電池駆動型端末機も充電開始時期が略同じになってしまうが、充電器が電池駆動型端末機の台数分だけ準備されていないので、充電待ちの状態になってしまい、必要とする電池駆動型端末機の台数が確保できなくなってしまうという問題が生じてしまう。
【００１１】
さらに、充電器は、人目に付きやすい場所に設置されるとは限らず、壁面等の電源コンセントのある位置の近傍に設置されている場合が多いので、充電完了したかどうかは充電器の設置されている場所まで出向いて確認しなければならず能率的でなく、特に電池駆動型金融決済端末機の場合には出先で使用されるために使用場所に充電器が設置されていない場合が多く、充電確認を行うことができない場合が多い。
【００１２】
そこで、本発明の目的は、電池駆動型端末機における２次電池の充電状態を電池駆動型端末機の電源をオフした状態であっても、確実に知ることができ、次回の充電のタイミングを指示したり、２次電池の使用履歴を確実に管理して２次電池の劣化による交換時期を指示することができる電池駆動型端末機の充電状態管理装置を提供することにある。
【００１３】
【課題を解決するための手段】
前記課題を解決するために、本発明による電池駆動型ＰＯＳ端末機の充電状態管理装置は、次に記載するような特徴的な構成を採用している。
【００１４】
（１）入力されたデータを主装置に対して直接的または間接的に送信し得る通信手段と、所定動作を行わせるために設けられた２次電池でなる電源手段とを有する電池駆動型端末機の充電状態管理装置において、
前記電池駆動型端末機の有する前記２次電池の充電状態を検出する充電状態検出手段と、前記充電状態検出手段で得られた充電レベルを含む充電状態データを前記通信手段を介して前記主装置に送信する送信制御手段とを前記電池駆動型端末機に設けると共に、前記主装置で受けられた前記充電状態データに基づく報知を行う報知手段を有する充電管理手段を具備する電池駆動型端末機の充電状態管理装置。
【００１５】
（２）前記充電状態検出手段は、前記２次電池の出力電圧値を検出するように構成する上記（１）の電池駆動型端末機の充電状態管理装置。
【００１６】
（３）前記充電状態検出手段は、前記２次電池における充電開始と充電終了の時間データを検出するように構成する上記（１）のの電池駆動型端末機の充電状態管理装置。
【００１７】
（４）前記充電状態検出手段は、前記２次電池の劣化情報を検出するように構成する上記（１）の電池駆動型端末機の充電状態管理装置。
【００１８】
（５）前記報知手段は、前記電池駆動型端末機から送信された充電状態データを表示するように構成する上記（１）の電池駆動型端末機の充電状態管理装置。
【００１９】
（６）前記報知手段は、複数個設けられた前記電池駆動型端末機のそれぞれの充電状態データを表示するように構成する上記（１）の電池駆動型端末機の充電状態管理装置。
【００２０】
（７）前記電池駆動型端末機は、ＰＯＳ主装置に対して所定のＰＯＳデータを通信する端末機として構成する上記（１）ないし（６）のいずれかの電池駆動型端末機の充電状態管理装置。
【００２１】
（８）前記電池駆動型端末機は、デビット決済等の金融決済用主装置に対して所定の金融決済データを通信する端末機として構成する上記（１）ないし（６）のいずれかの電池駆動型端末機の充電状態管理装置。
【００２２】
（９）前記通信手段は、公衆通信網を含んで構成する上記（１）ないし（８）のいずれかの電池駆動型端末機の充電状態管理装置。
【００２４】
【発明の実施の形態】
以下、本発明の第１の実施の形態について図面を用いて詳細に説明する。なお、この実施形態は、電池駆動型ＰＯＳ端末機とＰＯＳ主装置との通信手段が電波を用いて行う場合に本発明を適用した例である。本形態の全体構成は、図１に示すように、ＰＯＳの全体を複合的に制御するＰＯＳ主装置１が設けられ、これに後述する２次電池の履歴管理を一覧表示するための表示器１ａが接続されている。ＰＯＳ主装置１には、会計カウンタに設置されたＰＯＳ端末機２が接続されている。
【００２５】
ＰＯＳ端末機２は、会計伝票に基づいて種々のデータを入力するための入力部３とその表示を行う表示部４が店員の側から見えるように配置され、その後面寄りに顧客に会計金額を確認させるための表示部５が配設されている。
【００２６】
ＰＯＳ主装置１に接続された無線制御部６は、複数（ｎ）台の携帯端末機１０−１，１０−２・・・１０−ｎから送信される無線データをダイバーシティ型のアンテナ７，８で受けてＰＯＳ主装置１に入力するもので、携帯端末機充電用の充電器９が壁面等に設けられた電源コンセントの近傍に設置されている。
【００２７】
これらの携帯端末機１０−１，１０−２・・・１０−ｎと充電器９の回路は、図２に示すように構成され、充電器９には商用電源を数Ｖに低減した交流電源１１が内蔵され、交流電源１１の両出力端に電源出力端子１２と電源出力端子１３が接続されている。この電源出力端子１２，１３は、露呈した端子にされており、携帯端末機１０に設けられた電源入力端子１４、１５が着脱自在に接触できるように構成されている。
【００２８】
携帯端末機１０の回路構成は、電源入力端子１４，１５に両端が接続された検出部１６を有し、この両端の出力が整流ダイオード１７等によって構成される整流平滑部（図示せず）によって直流に変換され、その直流出力が充電制御部１８の入力端に供給される。この充電制御部１８の出力端には、２次電池１９が接続され、この充電制御部１８によって２次電池１９への充電を行うことができると共に、２次電池１９がＣＰＵ２０の動作電源とされている。
【００２９】
また、充電制御部１８で得られた充電状態データはＣＰＵ２０に入力され、検出部１６で得られた充電用電源の有無データがＣＰＵ２０に入力されるように構成されている。
【００３０】
ＣＰＵ２０には、所定の動作プログラムが格納されたメモリ２２が接続され、このメモリ２２は、後述するような種々の充電状態データが格納され得るように構成され、ＣＰＵ２０に接続された無線部２１による制御の基に無線制御部６（図１参照）に対して充電状態データをアンテナ２３から送信することができる。
【００３１】
従って、携帯端末機１０の有する２次電池１９の充電状態を充電制御部１８で検出する充電状態検出手段が構成され、充電状態検出手段で得られた充電状態データを無線部２１から無線制御部６（図１参照）を介してＰＯＳ主装置１（図１参照）に送信する送信制御手段とが携帯端末機１０に設けられることになる。
【００３２】
また、ＰＯＳ主装置１で受けられた充電状態データに基づく報知を行う報知手段が表示器１ａ等によって構成される。このような充電状態検出手段は、２次電池１９の出力電圧値を検出するように構成されると共に、２次電池１９における充電開始と充電終了の時間データを検出するように構成され、さらに、２次電池１９における放電状態データを検出するように構成される。
【００３３】
従って、携帯端末機１０を用いて業務を開始した時点、例えば開店時、勤務交替時に担当者が携帯端末機１０に担当者コード番号等の初期設定データを入力すると、このデータは、無線制御部６を介してＰＯＳ主装置１まで伝達される。この初期設定データの一例は、図３に符号２２ａで示すようにＰＯＳ主装置１で受信された「日時」と、携帯端末機１０の「端末番号」と、「担当者番号」であり、最後に使用開始である旨のマークが付される。
【００３４】
また、担当者の業務が終了した時点、例えば閉店時、勤務交替時に担当者が携帯端末機１０に設定のクリア処理を行うとこのデータは、無線制御部６を介してＰＯＳ主装置１まで伝達される。この初期設定データの一例は、図４に符号２２ｂで示すようにＰＯＳ主装置１で受信された「日時」と、携帯端末機１０の「端末番号」と、「担当者番号」であり、最後に使用終了である旨のマークが付される。これらの使用開始と使用終了の時刻データは係員の出退勤データに置き換えて管理することもできる。
【００３５】
業務中に、客からの注文を携帯端末機１０に入力すると、その注文データに充電状態データを付加して無線制御部６を介してＰＯＳ主装置１まで伝達される。この注文データの一例は、図５に符号２２ｃで示すように、「発注開始日時」と、携帯端末機１０の「端末番号」、「担当者番号」、「テーブル番号」、「客番号」、「メニュー内容」と充電制御部１８によって検出された「充電レベル」のデータであり、充電状態データの例は、図６に符号２２ｄで示すように、「受信日時」と、携帯端末機１０の「端末番号」と「充電レベル」である。
【００３６】
次に、携帯端末機１０の２次電池１９を充電する場合について説明すると、充電器９に携帯端末機１０を取り付けると、電源出力端子１２と電源入力端子１４が接触し、電源出力端子１３と電源入力端子１５が接触して充電が開始され、このときに検出部１６によって充電開始が検出され、その旨の信号がＣＰＵ２０に出力される。
【００３７】
このときＣＰＵ２０は、メモリ２２上のプログラムを実行して、充電開始データを無線部２１を介してアンテナ２３から送信する。すると、その充電開始データが無線制御部６を介してＰＯＳ主装置１まで伝送される。この充電開始データの一例は、図７に示す符号２２ｅのように、「受信日時」と、携帯端末機１０の「端末番号」と充電開始した旨のマークである。
【００３８】
このようにして行われている充電が進行して完了状態になったことが充電制御部１８によって検出されると、充電完了データがＣＰＵ２０に送られ、メモリ２２上のプログラムを実行して、充電完了データを無線部２１を介してアンテナ２３から送信する。すると、その充電完了データが無線制御部６を介してＰＯＳ主装置１まで伝送される。この充電完了データの一例は、図８に示す符号２２ｆのように、「端末番号」、「受信日時」と、充電完了した旨のマークである。
【００３９】
以上のようにして生成される充電開始データ等の種々のデータは、ＰＯＳ主装置１によって総合的に処理され、多数の携帯端末機１０における充電状態表示を一覧表の形で表示器１ａに表示させることができる。この一例は、図９に示す符号２２ｇのように、「端末番号」の１から６のそれぞれの「使用状態」と「最終更新時刻」と「充電状態を空（Ｅ）からフル（Ｆ）までのバーグラフ表示」であって、従って、「端末番号」の１から３までが使用中であり、４が充電中であることが一目瞭然と解る。
【００４０】
したがって、現在使用されていない携帯端末機１０は、５と６であるが充電状態は５の方が良好であるので、次に使用する携帯端末機１０は、５とすればよいことが解る。
【００４１】
なお、図示せずも、携帯端末機１０の内部に２次電池１９によって直接にバックアップされた専用メモリを設け、この専用メモリに充電回数を記録し、ＰＯＳ主装置１に送信するようにすれば、ＰＯＳ主装置１によって２次電池１９の交換時期を管理することもできる。２次電池１９を交換することによって当該の専用メモリのデータもゼロクリアされるので、充電回数がずれてしまうこともない。このような充電回数を付加した充電完了データの例は、図１０に示す符号２２ｈのように、「受信日時」と、携帯端末機１０の「端末番号」と充電終了した旨のマークと、「充電回数」のデータである。
【００４２】
以上のようにして生成される充電回数データ等の種々のデータは、ＰＯＳ主装置１によって総合的に処理され、多数の携帯端末機１０における充電状態表示を一覧表の形で表示器１ａに表示させることができる。この一例は、図１１に示す符号２２ｉのように、「端末番号」の１から６のそれぞれの「充電回数」の数字と「充電間隔」の時間表示であって、従って、「端末番号」の６が交換時期に近付いていることが解る。
【００４３】
なお、一般的には、携帯端末機１０は、注文データの送信が終了すると節電のために電源を自動的にオフするが、このための処理シーケンスを修正して、データ受信メッセージが到着するまで待つように変更し、このときにデータ受信メッセージにＰＯＳ端末機２からのメッセージを無線制御部６で付加して携帯端末機１０に送信してもよい。例えば、携帯端末機１０自身の充電警告機能とは別にＰＯＳ端末機２からのメッセージを表示させることもできる。
【００４４】
次に、本発明の第２の実施の形態について図１２ないし図１７を用いて詳細に説明する。なお、この実施形態は、電池駆動型金融決済端末機と金融決済主装置との通信手段が電波を用いて行う場合に本発明を適用した例である。本形態の全体構成は、図１１に示すように、前述の実施の形態例と同様の基本機能を有するデビット携帯端末機２４は、無線通信機能と充電状態検出機能を持ち、デビット携帯端末機２４から送信されたデータは、無線通信網２５で公衆の有線または無線回線でもって受信される。
【００４５】
この無線通信網２５と情報処理センター２６の間、情報処理センター２６と金融機関網２７の間のそれぞれは、専用の回線で接続され、良質な回線状態が維持され、併せてセキュリティの確保も行われている。また、情報処理センター２６と端末所有会社２８の間は一般回線でもって接続されている。
【００４６】
従って、デビット携帯端末機２４を携帯した外交員が客先で集金業務を行い、デビット決済のためのデータ入力を行うと、このデータが無線通信網２５に送信される。このとき、デビット携帯端末機２４の有する２次電池の充電情報は、会社用の状態情報や必要に応じてその他の伝達情報を合わせて送信するようにしている。
【００４７】
デビット携帯端末機２４から送信されたデータを受信した無線通信網２５の内部にある基地局（図示せず）は、その受信データを情報処理センター２６に送信するが、このときデータは、当該基地局の有するデータを付加する場合があり、この例を図１３に表す決済時のデータ２９に示す。このデータ２９は、決済日時、端末番号、担当者番号、決済情報、充電レベル、会社用伝達情報、基地局情報である。
【００４８】
このデータ２９を受けた情報処理センター２６は、決済情報と状態情報を分離してその決済情報のみを金融機関網２７に送って処理され、決済情報以外の全てのデータは端末所有会社２８に送られ、一般回線に接続された、ここでは図示しないモデムを経由して、同じく図示しない会社のパソコンに、前述の第１の実施の形態と同様にして充電状態が表示される。
【００４９】
この表示は、図１４に示す表示３０のようにコントローラ受信日時と端末番号と充電開始マークとしたり、図１５に示す表示３１のようにコントローラ受信日時と端末番号と充電終了マークとすることができる。
【００５０】
また、図１６に示す表示３２とし、外交員の勤務開始時刻データを求めてタイムレコーダの出勤印字代わりに用いることができ、端末発信番号と端末番号と担当者番号と使用開始マーク（勤務開始マーク）としたり、図１７に示す表示３３とし、外交員の勤務終了時刻データを求めてタイムレコーダの退勤印字代わりに用いることができ、端末発信番号と端末番号と担当者番号と使用終了マーク（勤務終了マーク）とすることができる。
【００５１】
端末所有会社２８は、端末を起動することなくデビット携帯端末機２４の充電状態を集中管理することができ、端末所有会社２８は、無線設備を追加投資することなく、一般の電話回線を用いてデビット携帯端末機２４の充電状態を集中管理することができる。
【００５２】
また、無線通信網２５の有する基地局データを付加すればデビット携帯端末機２４を携帯している係員の位置検索にも応用でき、伝達事項等を付加すれば業務日誌の自動作成にも応用でき、また、一般に有線の方が無線より通信コストが低いので通信費用の節約になる。
【００５３】
【発明の効果】
以上の説明で明らかなように、本発明による電池駆動型端末機の充電状態管理装置は、多くの電池駆動型端末機を用いている場合であっても、電池駆動型端末機における２次電池の充電状態を電池駆動型端末機の電源をオフした状態であっても、充電状態を確実に知ることができ、次回の充電のタイミングを指示したり、２次電池の使用履歴を確実に管理して２次電池の劣化による交換時期を指示することができる電池駆動型端末機の充電状態管理装置を提供することができる。
【図面の簡単な説明】
【図１】本発明の第１の実施の形態による電池駆動型端末機の充電状態管理装置の概略構成を示す模式図である。
【図２】図１中に示される充電器と携帯端末機における概略回路構成を示す回路ブロック図である。
【図３】本発明の第１の実施の形態による電池駆動型端末機の充電状態管理装置の使用開始状態データの一例を示す図である。
【図４】本発明の第１の実施の形態による電池駆動型端末機の充電状態管理装置の使用終了状態データの一例を示す図である。
【図５】本発明の第１の実施の形態による電池駆動型端末機の充電状態管理装置の注文状態データの一例を示す図である。
【図６】本発明の第１の実施の形態による電池駆動型端末機の充電状態管理装置の充電状態データの一例を示す図である。
【図７】本発明の第１の実施の形態による電池駆動型端末機の充電状態管理装置の充電開始データの一例を示す図である。
【図８】本発明の第１の実施の形態による電池駆動型端末機の充電状態管理装置の充電終了データの一例を示す図である。
【図９】本発明の第１の実施の形態による電池駆動型端末機の充電状態管理装置の充電状態データの一覧表示例を示す図である。
【図１０】本発明の第１の実施の形態による電池駆動型端末機の充電状態管理装置の充電回数データの一例を示す図である。
【図１１】本発明の第１の実施の形態による電池駆動型端末機の充電状態管理装置の充電回数データの一覧表示例を示す図である。
【図１２】本発明の第２の実施の形態による電池駆動型端末機の充電状態管理装置の概略構成を示す模式図である。
【図１３】本発明の第２の実施の形態による電池駆動型端末機の充電状態管理装置の決済データ系統の一例を示す図である。
【図１４】本発明の第２の実施の形態による電池駆動型端末機の充電状態管理装置の充電開始状態のデータの一例を示す図である。
【図１５】本発明の第２の実施の形態による電池駆動型端末機の充電状態管理装置の充電終了状態のデータの一例を示す図である。
【図１６】本発明の一実施の形態による電池駆動型端末機の充電状態管理装置の使用開始データの一例を示す図である。
【図１７】本発明の一実施の形態による電池駆動型端末機の充電状態管理装置の使用終了データの一例を示す図である。
【符号の説明】
１            ＰＯＳ主装置
１ａ          表示器
２            ＰＯＳ端末機
３            入力部
４、５        表示部
６            無線制御部
７、８、２３  アンテナ
９            充電器
１０          携帯端末機
１１          交流電源
１２，１３    電源出力端子
１４，１５    電源入力端子
１６          検出部
１７          整流ダイオード
１８          充電制御部
１９          ２次電池
２０          ＣＰＵ
２１          無線部
２２          メモリ
２３          アンテナ
２４          デビット携帯端末機
２５          無線通信網
２６          情報処理センター
２７          金融機関網
２８          端末所有会社
【図１】
0003569206.tif 000002
【図２】
0003569206.tif 000003
【図３】
0003569206.tif 000004
【図４】
0003569206.tif 000005
【図５】
0003569206.tif 000006
【図６】
0003569206.tif 000007
【図７】
0003569206.tif 000008
【図８】
0003569206.tif 000009
【図９】
0003569206.tif 000010
【図１０】
0003569206.tif 000011
【図１１】
0003569206.tif 000012
【図１２】
0003569206.tif 000013
【図１３】
0003569206.tif 000014
【図１４】
0003569206.tif 000015
【図１５】
0003569206.tif 000016
【図１６】
0003569206.tif 000017
【図１７】
0003569206.tif 000018